(57)【要約】      （修正有）【課題】目的の意思表示をするとともに、目的達成の一助となる意思表示を併有することによって、例えば売掛金の回収効果向上のような主目的の達成を促進するゴム印を提供する。【解決手段】ゴム製の印面を印本体に具備して構成されたゴム印１０について、ゴム製の印面に少なくとも２つの領域１２、１３を設定し、相手方に一定の行為を求める第１の文言の彫刻１８ａと、上記文言によってなされた行為に対応する第２の文言の彫刻１９ａとを、上記２つの領域にそれぞれ設ける。【選択図】図４
0003148418.tif 000002
【実用新案登録請求の範囲】
【請求項１】
ゴム製の印面を印本体に具備して構成されたゴム印であって、
ゴム製の印面に少なくとも２つの領域を設定し、
相手方に一定の行為を求める第１の文言の彫刻と、上記文言によってなされるべき行為に対応する第２の文言の彫刻とを、上記２つの領域にそれぞれ設けて成る
ゴム印。
【請求項２】
第１の文言の彫刻は第２の文言の彫刻よりも大きい文字で形成されている請求項１記載のゴム印。
【請求項３】
印本体は、ゴム製の印面を有する部材を固定した固定式の台か、或いは、ゴム製の印面を複数個有する部材を印本体に回転機構を介して取り付けた回転式の台の何れかである請求項１記載のゴム印。
【考案の詳細な説明】
【技術分野】
【０００１】
本考案は、ゴム製の印面を印本体に具備したゴム印に関するものである。
【背景技術】
【０００２】
印章にゴム印と通称されるものがあり、主としてスタンプ類の用途に使用されている。ゴム印の印面は必ずしもゴムのみから成るとは限らないが、ゴムと同様の弾力性を有する樹脂から成っており、そのため捺印時の加圧力の差によってその都度紙面に押される印影が異なるので、印鑑として用いるものとはされていない。しかし、捺印によって一定の印影を得られる手軽さから、例えばお年賀、粗品、速達、書留、ＦＡＸ済、カタログ在中、請求書在中など、あらゆる用途のスタンプに使用されている。
【０００３】
一方、昨今の通信文化の変化によりＦＡＸを用いた原稿などの遣り取りが主になり、取引担当者同士の会話の機会も少なくなって来ると、思い遣りに欠ける傾向が目立ち、意思の疎通を図りがたくなるという問題がある。問題は、特に支払いを求める通知など、相手方に一定の行為を求める文言をゴム印によって押した場合に生じ得る感情の変化である。例えば信頼できる取引先ではあるけれども、支払日がずれるようになって来た、しかし、これまで築き上げてきた信頼関係を考慮すると、電話で直接督促もしづらい。このような場合に「請求書在中」のスタンプを押した請求書を送り付けても、ゴム印の文字だけが先行して売掛金の回収効果は上がらない。
【０００４】
このようなケースにおいては、目的である売掛金回収の意思表示をすると同時に、何らかの対策を行うことが望まれるところである。このような背景に対して従来の技術的提案を調査すると、実開平６−３６５８号の回転印があるが、それは特定の文言から成る固定印と日付印から成る回転印とを組み合わせたもので、それに先行する実開昭５０−１２３４０８号と軌を一にする提案であって、上記の問題の解決策を示唆するものではない。
【特許文献１】実開平６−３６５８号
【特許文献２】実開昭５０−１２３４０８号
【考案の開示】
【考案が解決しようとする課題】
【０００５】
本考案は前記の点に着目してなされたもので、その課題は、目的とする意思表示をするとともに、その目的達成の一助となる意思表示を併有することによって、例えば売掛金の回収効果向上のような主目的の達成を促進するゴム印を提供することである。また本考案の他の課題は、１個のゴム印が２個又はそれ以上の個数のゴム印として機能するようにすることである。
【課題を解決するための手段】
【０００６】
前記の課題を解決するため、本考案は、ゴム製の印面を印本体に具備して構成されたゴム印について、ゴム製の印面に少なくとも２つの領域を設定し、相手方に一定の行為の実行を求める第１の文言の彫刻と、上記文言によってなされるべき行為に対応する第２の文言の彫刻とを、上記２つの領域にそれぞれ設けるという手段を講じたものである。
【０００７】
本考案のゴム印は、ゴム製の印面を印本体に具備して構成されたものである。従って、印材はゴム又はゴムに類似した弾力性、柔軟性を有するプラスチック（合成樹脂）から成り、例えば、所要の文言の印影となる彫刻を有する金型を用いて型成型技術によって形成することができる。その他、感光性樹脂版を元にフェノール系樹脂を用いて簡易型を作成する方法など、任意の方法でゴム印を形成することができるものである。
【０００８】
ゴム製の印面には、少なくとも２つの領域を設定する。２つの領域は、枠によって区別されていても良いが、枠で区別することが必要不可欠というわけではない。印面に設けるべき、後述する２つの要素を別々に分けてしかも併設するために、少なくとも２つの領域を設定するものである。
【０００９】
本考案は、相手方に行為を求める文言又は相手方の行為を確認するような文言をふくむ第１の文言から成るゴム製の印面を印本体に具備している。第１の文言としては、例えば以下の例がある。
・請求書在中、相手方に行為を求める文言に該当、
・領収書在中、相手方の行為を確認する文言に該当、
・見積書在中、相手方に行為を求める文言に該当、
・納品書在中、相手方の行為を確認する文言に該当。
そして上記のような第１の文言は事務的であり、取引相手に冷たく響く可能性がある。
【００１０】
そこで本考案では、相手方に行為などを求める第１の文言の彫刻ととともに、上記文言によってなされた行為に対応する、例えば感謝の意思を表す第２の文言の彫刻とを併設して成る印面を具備するものとする。上記の意思を表す第２の文言としては、例えば以下の例がある。
・毎度、有難うございます、感謝の意思を表す文言に該当、
・お買い上げ、有難うございます、感謝の意思を表す文言に該当、
・ご注文、有難うございます、感謝の意思を表す文言に該当、
・宜しくご用命下さい、受注の期待の意思を表す文言に該当、
・ご用命（を）お待ちしております、受注の期待の意思を表す文言に該当。
上記のような第２の文言によって感謝の意思を伝えるとともに、例えば、持ちつ持たれつの相互関係にあることを相手方に伝えて、請求に対する支払い義務の存在を感謝の文言によって想起させ、実施が促進されるようにするものである。
【００１１】
上記第１の文言の彫刻は、第２の文言の彫刻よりも大きい文字で形成することが望ましい。これは当然のことのようであるが、本考案による成果である。即ち、感謝の意思を表す第２の文言を併記することによって、第１の文言の主題を十分に大きい文字としても抵抗が少なくなり、その結果として相手方に行為を求めるべき主題の意思も、より明確に表示できることになるからである。
【００１２】
印本体は、ゴム製の印面を有する部材を固定した固定式の台か、或いは、ゴム製の印面を有する部材を印本体に回転機構を介して取り付けた回転式の台の何れかの形態を取ることができる。つまり、本考案は１個のゴム印に１個の印影彫刻だけを有する、スタンプに近い固定式ゴム印として構成できるものであり、また、１個のゴム印に２個以上の印影彫刻を有しそれを回転する回転式ゴム印としても構成できるものである。また、本考案のゴム印は、スタンプ台を有さずにインクを印面に滲透させる方式の、いわゆる浸透印についても実施することができる。
【考案の効果】
【００１３】
本考案は以上のように構成されかつ作用するものであるから、目的を達する行為を相手方に求める第１の文言の彫刻とともに、その目的達成の一助となる意思表示である第２の文言の彫刻を併有することによって、例えば売掛金の回収効果向上のような主目的の達成を可能にするゴム印を提供することができる。また、本考案によれば、１個のゴム印に第１の文言の彫刻と第２の文言の彫刻を併記して、２個のゴム印の役割を果たすことができるとともに、それによって請求者と被請求者相互の信頼関係を傷付けることなく、目的を達成することに寄与し、さらに第１の文言と第２の文言を同一の印面に併記したので、１個のゴム印が２個又はそれ以上の個数のゴム印として機能するようになる。
【考案を実施するための最良の形態】
【００１４】
以下本考案について、図示の実施形態を参照しながら詳細に説明する。図１は、ゴム製の印面を印本体に具備して構成されたゴム印１０の例１を示すものであり、ゴム製の印面１１には少なくとも２つの領域１２、１３が設定されている。図１の例において印面１１は、その周囲を外枠１４が取り囲んでおり、その内側に２つの領域１２、１３が設定されている。例示されている第１の領域１２は大きい文字等の彫刻１５を配置できるようにより広く、第２の領域１３は小さい文字等の彫刻１６を配置できるようにより狭く想定されている。境界１７は、第１の領域１２、第２の領域１３となるべき位置を区画しているものであるが、両領域に印面１１の全面を使う必要はない。また、両領域１２、１３を仕切る枠はあっても無くても良い。
【００１５】
上記２つの領域１２、１３には第１の文言の彫刻１８と第２の文言の彫刻１９が設けられる。図２は相手方に行為を求める第１の文言の彫刻に用いる文案の例を示している。第１の文案の例は、見積もりから始まって領収に終わる一連の文言のセットになっている。文案の例１８ａ〜を趣旨とともに示すと、
・見積発注票１８ａ：見積もりに対する発注（行為）を相手方に促す文言、
・納期計画票１８ｂ：納期の報告により発注（行為）を相手方に促す文言、
・見積回答票１８ｃ：見積金額により発注（行為）を相手方に促す文言、
・見積書在中１８ｄ：見積もりに対する発注（行為）を相手方に求める文言、
・納品書在中１８ｅ：納品に対する確認（行為）を相手方に求める文言、
・請求書在中１８ｆ：請求に対する支払（行為）を相手方に求める文言、
・領収書在中１８ｇ：領収の報告の確認（行為）を相手方に求める文言、
となる。なお、見積回答票１８ｃは印面１１の全面を使わない例である。
【００１６】
図２中、１９ａ〜は上記文言によってなされた行為に対する感謝の意思を表す第２の文言の彫刻に用いる文案の例である。第２の文案の例は第１の文案の例に対応するもので、以下に示す文言から成る。これを上と同様に示すと、
・よろしくお手配下さい１９ａ：願望の意思を表す文言、
・ご注文確認しました  １９ｂ：確認の意思を表す文言、
・ご用命お待ちしております１９ｃ：願望の意思を表す文言、
・宜しくご用命下さい  １９ｄ：期待の意思を表す文言、
・ご注文有難うございます１９ｅ：感謝の意思を表す文言、
・毎度、有難うございます１９ｆ：感謝の意思を表す文言、
・お買い上げ有難うございます１９ｇ：感謝の意思を表す文言、
となる。
【００１７】
図３は、上記第１の領域１２に第１の文言の彫刻１８を設けた例と、第２の領域１３に第２の文言の彫刻１９を設けた例とを併設して成る、印面１１の３例を示すものである。これらの例Ａ、Ｂ、Ｃは図２の１８ａ、１９ａ、１８ｂ、１９ｂ、１８ｃ、１９ｃと対応している。図４は、このように形成された印面１１を印本体２０に取り付けて、固定式の台構造を有するゴム印１０としたものの例である。
【００１８】
本考案は、ゴム製の印面１１を複数個有する部材を印本体に回転機構を介して取り付けた回転式の台として構成することも可能であり、その例は図５以下に示されている。図５において、２１はベルト状に形成した印面部材で、ゴム製の印面１１を複数個連結して環状に形成したものである。印面部材２１は、図６及び図７に示すように、ケース２２に設けられた駆動軸２３と四角軸型の従動軸２４に掛け、かつ、係合突部２５と、駆動軸２３と従動軸２４にそれぞれ形成されている係合溝部２６、２７の係合下に、回転可能に設けたもので、ケース側面の駆動軸２３に取り付けたハンドル２８を回すことで、ケース開口部においてやや突き出すように設けられている位置に印面１１を動かし、印字をすることができる。上記のゴム印１０は、いわゆる回転印に本考案を適用した場合の例である。
【００１９】
このような構成を有する本考案のゴム印１０は、図４に示した固定式ゴム印或いは図６等に示した回転式ゴム印に適用して、押印に使用することができるものであ。そして、その印影は相手方に一定の行為を求める第１の文言の彫刻１８と、上記文言によってなされた行為に対応する第２の文言の彫刻１９とを、上記２つの領域に併設して成るものであるので、第１の文言の趣旨を相手方へ十分に伝達しつつ、第２の文言によって第１の文言の目的を和らげたり、或いは補強したりすることができるという利点がある。
【図面の簡単な説明】
【００２０】
【図１】本考案に係るゴム印の例１の印面を示す正面説明図である。
【図２】同上のゴム印の印面を構成する文案の例を示す正面図である。
【図３】同上の文案の例によって形成した印面の例Ａ、Ｂ、Ｃを示す斜視図である。
【図４】同上の固定式ゴム印の例を示す斜視図である。
【図５】本考案に係るゴム印の例２の環状の印面部材を示す斜視図である。
【図６】同上の印面部材を用いた回転式ゴム印の例を示す斜視図である。
【図７】同上の説明図でＡはケースに対する正面図、Ｂは同じく側面図である。
【符号の説明】
【００２１】
１０  ゴム印
１１  印面
１２  第１の領域
１３  第２の領域
１４  外枠
１５  大きい文字等の彫刻
１６  小さい文字等の彫刻
１７  境界
１８  第１の文言の彫刻
１９  第２の文言の彫刻
２０  印本体
２１  環状の印面部材
２２  ケース
２３  駆動軸  
２４  従動軸
２５  係合突部
２６、２７  係合溝部
２８  ハンドル
【図１】
0003148418.tif 000003
【図２】
0003148418.tif 000004
【図３】
0003148418.tif 000005
【図４】
0003148418.tif 000006
【図５】
0003148418.tif 000007
【図６】
0003148418.tif 000008
【図７】
0003148418.tif 000009